(57)【特許請求の範囲】
【請求項１】
火災を検出する火災センサと、所定ガスの濃度を検出するガスセンサと、前記火災センサの検出結果及び前記ガスセンサの検出濃度を、火災及びガス濃度の各々に対応して予め設定された各警報点と比較し、該比較結果に基づいて警報を出力する警報制御手段と、該警報制御手段における警報の停止を指示する操作手段とを備えた警報器であって、
前記火災センサの検出結果が前記警報点以上で、かつ前記ガスセンサの検出濃度が前記警報点以上の場合には、前記操作手段による警報の停止を不可とすることを特徴とする警報器。
【請求項２】
火災を検出する火災センサと、所定ガスの濃度を検出するガスセンサと、前記火災センサの検出結果及び前記ガスセンサの検出濃度を、火災及びガス濃度の各々に対応して予め設定された各警報点と比較し、該比較結果に基づいて警報を出力する警報制御手段と、該警報制御手段における警報の停止を指示する操作手段とを備えた警報器であって、
前記警報制御手段には、前記火災センサの検出結果に対する前記警報点が設定され、前記ガスセンサの検出濃度に対する前記警報点として予備警報点と本警報点が設定されるとともに、該検出濃度に対する本警報点としてさらに低濃度警報点と高濃度警報点が設定され、
前記火災センサの検出結果が前記警報点以上で、かつ前記ガスセンサの検出濃度が前記予備警報点以上の場合、または前記ガスセンサの検出濃度が前記高濃度警報点以上の場合には、それぞれ前記操作手段による警報の停止を不可とすることを特徴とする警報器。
【請求項３】
警報器の故障を検出する故障検出手段をさらに備え、該故障検出手段で故障が検出された場合に故障警報を出力するとともに、該故障警報に対しては前記操作手段による警報の停止を可とすることを特徴とする請求項１または２に記載の警報器。
【発明の詳細な説明】
【技術分野】
【０００１】
本発明は、火災警報やガス漏れ警報などを行う警報器に関し、操作手段の操作により警報出力の停止を可能にした警報器に関する。
【背景技術】
【０００２】
従来、この種の警報器では誤報を発する場合がある。例えば、火災警報器を台所などに設置した場合、調理時に発生する雑ガスや煙あるいは水蒸気等にセンサが反応し、誤報を発する場合がある。この場合、警報状態が解消されるまで警報が鳴りつづけると、周囲に迷惑をかけたりパニックを引き起こしかねないので、例えば特開２００７−１３３５８４号公報（特許文献１）のように警報を停止する機能を持つのが一般的である。
【０００３】
また、特開２００６−１０６８５０号公報（特許文献２）に開示されているように、警報器自体が故障を検出し、その故障を知らせるための故障警報を発生するものもある。この故障警報時にも警報を停止することができる。なお、警報器として、特開２００６−１６３６３２号公報（特許文献３）のように火災と一酸化炭素（ＣＯガス）を検出して警報を発生するものもある。また、特開２００２−３０４６８３号公報（特許文献４）のように、検出される一酸化炭素濃度を低濃度と高濃度の警報点と比較して警報を発生するものもある。
【特許文献１】特開２００７−１３３５８４号公報
【特許文献２】特開２００６−１０６８５０号公報
【特許文献３】特開２００６−１６３６３２号公報
【特許文献４】特開２００２−３０４６８３号公報
【発明の開示】
【発明が解決しようとする課題】
【０００４】
従来、火災警報器等においては点検用ボタンや引き紐（点検紐）を備えており、これらの操作により点検スイッチをオンにすることで警報を停止することができる。次表１に従来の火災警報器における警報停止操作に対する一般的なロジックの一例を示す。
【０００５】
【表１】
0005049068.tif 000002
【０００６】
従来は、火災警報が発生した場合には１５分以内に何度でも停止可能とし、故障警報が発生した場合には一回停止するとその停止状態が維持されるものである。例えば、火災警報器が台所の調理時の煙や水蒸気により誤作動した場合、引き紐を引くことにより、一定時間停止させることができる。また、警報器本体に故障があった場合、警報器は「ピピピ」という音と、ＬＥＤ点滅を５０秒おきに繰り返すが、その「ピピピ」という音が耳障りな場合は、引き紐を引くことにより故障状態維持として警報を永久に停止させることが可能である。このように、火災に対する誤作動や故障が発生しても、確実に、かつ容易に音声を停止することができる。
【０００７】
しかしながら、特許文献３のように警報器には火災だけでなく一酸化炭素発生に対する警報を行うものもあある。この一酸化炭素発生時の警報（ＣＯ警報）に関しては誤動作等による警報を一時停止させる要望はあったものの、ＣＯ警報と火災警報の複合的な警報時にどのような判断で警報を停止させるかの判断基準は従来なく、これらの警報に対して適切な停止を行うことができなかった。
【０００８】
特に、火災警報とＣＯ警報が発生した場合は、火災のレベルとしては、非常に危険な状態にあり、この状態で一般ユーザが引き紐を引いて自由に警報を停止できてしまうのでは、避難等を促すという警報器の目的上、好ましくない。
【０００９】
本発明は、警報器においてユーザにとって使い勝手をよく適切な火災警報ロジックを提供することを課題とする。
【課題を解決するための手段】
【００１０】
請求項１の警報器は、火災を検出する火災センサと、所定ガスの濃度を検出するガスセンサと、前記火災センサの検出結果及び前記ガスセンサの検出濃度を、火災及びガス濃度の各々に対応して予め設定された各警報点と比較し、該比較結果に基づいて警報を出力する警報制御手段と、該警報制御手段における警報の停止を指示する操作手段とを備えた警報器であって、前記火災センサの検出結果が前記警報点以上で、かつ前記ガスセンサの検出濃度が前記警報点以上の場合には、前記操作手段による警報の停止を不可とすることを特徴とする。
【００１１】
請求項２の警報器は、火災を検出する火災センサと、所定ガスの濃度を検出するガスセンサと、前記火災センサの検出結果及び前記ガスセンサの検出濃度を、火災及びガス濃度の各々に対応して予め設定された各警報点と比較し、該比較結果に基づいて警報を出力する警報制御手段と、該警報制御手段における警報の停止を指示する操作手段とを備えた警報器であって、前記警報制御手段には、前記火災センサの検出結果に対する前記警報点が設定され、前記ガスセンサの検出濃度に対する前記警報点として予備警報点と本警報点が設定されるとともに、該検出濃度に対する本警報点としてさらに低濃度警報点と高濃度警報点が設定され、前記火災センサの検出結果が前記警報点以上で、かつ前記ガスセンサの検出濃度が前記予備警報点以上の場合、または前記ガスセンサの検出濃度が前記高濃度警報点以上の場合には、それぞれ前記操作手段による警報の停止を不可とすることを特徴とする。
【００１２】
請求項３の警報器は、請求項１または２に記載の警報器であって、警報器の故障を検出する故障検出手段をさらに備え、該故障検出手段で故障が検出された場合に故障警報を出力するとともに、該故障警報に対しては前記操作手段による警報の停止を可とすることを特徴とする。
【発明の効果】
【００１３】
請求項１の警報器によれば、操作手段により誤報等による警報を停止することができ、火災センサの検出結果が警報点以上で、かつガスセンサの検出濃度が警報点以上の場合には、操作手段による警報の停止を不可としているので、火災でない誤警報ではユーザが自由に警報を停止でき、かつ、火災レベルとして非常に危険な状態のときはユーザが警報を停止できないので、適切な火災警報ロジックとなる。
【００１４】
請求項２の警報器によれば、ガスセンサによる本警報と予備警報を行い、さらにガスセンサによる低濃度警報と高濃度警報を行う場合にも、操作手段により誤報等による警報を停止することができ、火災センサの検出結果が警報点以上で、かつガスセンサの検出濃度が予備警報点以上の場合、またはガスセンサの検出濃度が高濃度警報点以上の場合には、それぞれ操作手段による警報の停止を不可としているので、請求項１と同様に、火災でない誤警報ではユーザが自由に警報を停止でき、かつ、火災レベルとして非常に危険な状態のときはユーザが警報を停止できないので、適切な火災警報ロジックとなる。
【００１５】
請求項３の警報器によれば、請求項１または２と同様な効果が得られるとともに、警報器の故障による故障警報を行う場合にも、この故障警報に対してはユーザが自由に警報を停止できる。
【発明を実施するための最良の形態】
【００１６】
次に、本発明の実施の形態を図面を参照して説明する。図１は実施の形態の警報器としての火災警報器１０の外観斜視図、図２は同火災警報器の要部ブロック図である。図１に示すように、この実施の形態の火災警報器１０の本体ケース１の前面側には整流板としてのパネル２が設けられている。このパネル２の内側にはセンサハウジングを有しており、その内部には図２に示す火災センサとしての煙センサ１２及びガスセンサとしてのＣＯセンサ１３が収容されている。また、本体ケース１の下部パネル１ａには、図２に示す点検スイッチ１４をオン／オフする押しボタン３、赤警報ランプ４、緑警報ランプ５が配設され、この下パネル１ｂの内側には図２に示す警報スピーカ１６ａが配設されている。また、本体ケース１の下部には点検スイッチ１４をオン／オフする引き紐６が配設されている。なお、本体ケース１の背面には、ケーブル等により外部機器と接続可能な連動コネクタ等が配設されている。
【００１７】
図２に示すように、火災警報器１０はＣＰＵ１１を備えており、ＣＰＵ１１には、煙センサ１２、ＣＯセンサ１３、前記押しボタン３及び引き紐６の操作によりオン／オフする点検スイッチ１４、赤警報ランプ４と緑警報ランプ５を点灯及び消灯する表示回路１５、警報スピーカ１６ａでブザー音及び音声の出力を行う音声出力回路１６、ＣＰＵ１１が実行するプログラムや各種設定データを記憶しているメモリ回路１７、煙センサ１２やＣＯセンサ１３あるいは各種回路の故障検出等を行う故障検出回路１８を備えている。なお、ＣＰＵ１１及び音声出力回路１６は警報制御手段を構成しており、故障検出回路１８は故障検出手段を構成している。
【００１８】
火災警報器１０のＣＰＵ１１は、煙センサ１２及びＣＯセンサ１３を監視しており、火災発生時に煙センサ１２が煙を検知すると、ＣＰＵ１１は表示回路１３と音声出力回路１４を駆動制御し、警報ランプ４による点灯制御と警報スピーカ１６ａによるブザー音及び音声による火災警報を発する。また、ＣＯセンサ１３が二酸化炭素（ＣＯガス）を検知すると、その濃度に応じて、ＣＰＵ１１は表示回路１３と音声出力回路１４を駆動制御し、警報ランプ４による点灯制御と警報スピーカ１６ａによるブザー音及び音声による予備ＣＯ警報または本ＣＯ警報を発する。なお、詳細な説明は省略するが、ＣＰＵ１１は当該火災警報器１０の火災警報時には他の警報器等に連動信号を出力し、また、他の火災警報器等の外部機器から連動信号が入力されるとその条件に応じて警報を発する。
【００１９】
この実施形態では、煙センサ１２で検出される検出濃度に対して、火災警報を判断するための警報点（濃度閾値）と、ＣＯセンサ１３で検出されるＣＯガス濃度に対して、ＣＯ警報を判断するための警報点（濃度閾値）とが設定されており、これらの警報点のデータはメモリ回路１７に記憶されている。また、火災警報とＣＯ警報の各警報点に、予備警報点と本警報点とがあり、その値の大小関係は予備警報点＜本警報点となっている。さらにＣＯ警報の本警報点は低濃度警報点と高濃度警報点とがあり、その値の大小関係は低能動警報点＜高濃度警報点となっている。
【００２０】
図３は火災警報器１０におけるＣＰＵ１１の制御プログラムの要部フローチャートである。なお、実施形態の処理では、点検スイッチ１４のオンにより警報を停止するか（停止可とするか）、停止しないか（停止不可とするか）を示すための停止フラグを用いる。またまた、煙センサ１２による煙の検出濃度の計測値とＣＯセンサ１３によるＣＯガス濃度の計測値は所定のタイミングでサンプリングされいる。
【００２１】
ＣＰＵ１１は、ステップＳ１で煙濃度を取得し、ステップＳ２でＣＯ濃度を取得し、ステップＳ３に進む。ステップＳ３では煙濃度が予備警報点以上であるかを判定し、予備警報点以上でなければステップＳ７に進み、予備警報点以上であれば、ステップＳ４で煙濃度が本警報点以上であるかを判定する。本警報点以上でなければステップＳ５で火災予備警報を出力してステップＳ７に進み、本警報点以上であればステップＳ６で火災本警報を出力してステップＳ７に進む。
【００２２】
ステップＳ７ではＣＯ濃度が予備警報点以上であるかを判定し、予備警報点以上でなければステップＳ１１に進み、予備警報点以上であれば、ステップＳ８でＣＯ濃度が本警報点以上であるかを判定する。本警報点以上でなければステップＳ９でＣＯ予備警報を出力してステップＳ１１に進み、本警報点以上であればステップＳ１０でＣＯ本警報を出力してステップＳ１１に進む。
【００２３】
なお、このステップＳ１０でＣＯ本警報を出力するときは、ＣＯ濃度と低濃度警報点及び高濃度警報点とを比較し、ＣＯ濃度が低濃度警報点以上で高濃度警報点未満の場合には低濃度警報を出力し、ＣＯ濃度が高濃度警報点以上の場合には高濃度警報を出力する。
【００２４】
ステップＳ１１では、火災警報及びＣＯ警報の警報状態に応じてロジック条件判定の処理を行う。このロジック条件判定の処理は、後述の第１実施例及び第２実施例で説明するように警報の種類の組み合わせに応じて、警報の停止操作に対して停止可とするか停止不可とするかの条件を判断する処理である。そして、この条件を判断したらステップＳ１２で条件に応じて停止フラグを設定し、ステップＳ１３に進む。
【００２５】
ステップＳ１３では、点検スイッチ１４のオンが有るかを判断し、オンがなければステップＳ１に戻り、オンがあれば、ステップＳ１４で停止フラグに応じて警報の停止または警報の停止を禁止する処理を行う。そして、ステップＳ１５でその他の処理を行ってステップＳ１に戻る。このその他の処理では、故障検出処理、故障検出時の故障警報の出力などを行う。また、故障警報の出力を行った場合には、停止フラグは停止可となるように設定する。
【００２６】
次表２はステップＳ１１における第１実施例のロジック条件判定に係る条件を示している。
【００２７】
【表２】
0005049068.tif 000003
【００２８】
この第１実施例では、警報の状態が火災警報（本火災警報）で、かつＣＯ警報（本ＣＯ警報：低濃度警報または高濃度警報）の場合という条件により、警報停止を停止不可とする。なお、故障警報の場合には停止可とする。
【００２９】
次表３はステップＳ１１における第２実施例のロジック条件判定に係る条件を示している。
【００３０】
【表３】
0005049068.tif 000004
【００３１】
この第２実施例では、１）火災警報が予備警報（予備火災警報）で、かつＣＯ警報が予備警報（予備ＣＯ警報）の場合は停止可とする。なお、この状態は火災注意報として音声メッセージでメロディ等を流流す。２）火災警報が本警報（本火災警報）で、かつＣＯ警報が予備警報の場合は停止不可とする。なお、この状態はＣＯ警報として音声メッセージで「火事です。火事です。」等の音声出力を行う。３）火災警報が予備警報で、かつＣＯ警報が低濃度警報による本警報の場合は停止可とする。また、火災警報が予備警報で、かつＣＯ警報が高濃度警報による本警報の場合は停止不可とする。なお、これらの状態はＣＯ警報として音声メッセージで「空気が汚れて危険です。窓を開けて換気をして下さい。」等の音声出力を行う。
【００３２】
４）火災警報が本警報で、かつＣＯ警報が本警報（低濃度警報または高濃度警報）の場合は停止不可とする。なお、この状態は本格火災として音声メッセージで「火事です。火事です。」等の音声出力を行う。なお、条件は請求項１にも対応する。
【００３３】
５）火災警報が予備警報未満（火災警報なし）で、かつＣＯ警報が予備警報未満（ＣＯ警報無し）の場合は、警報しない。６）火災警報が予備警報未満で、かつＣＯ警報が低濃度警報による本警報の場合は、停止可とする。また、火災警報が予備警報未満で、かつＣＯ警報が高濃度警報による本警報の場合は停止不可とする。なお、これらの状態はＣＯ警報として音声メッセージで「空気が汚れて危険です。窓を開けて換気をして下さい。」等の音声出力を行う。
【００３４】
７）火災警報が本警報で、かつＣＯ警報が予備警報未満の場合は停止可とする。なお、この状態は火災として音声メッセージで「火災警報器が作動致しました。確認して下さい。」等の音声出力を行う。なお、この第２実施例でも故障警報の場合には停止可とする。
【００３５】
以上の実施の形態では火災警報器を例に説明したが、本発明は、ガス漏れ警報器、火災ガス漏れ警報器など、各種警報器にも適用できる。
【００３６】
実施形態では、火災センサとして煙センサの場合について説明したが、煙以外で火災を検出するものでもよい。また、ガスセンサはＣＯガスを検出する場合について説明したが、その他のガスに対して警報を出力する場合でもよい。
【図面の簡単な説明】
【００３７】
【図１】本発明の実施の形態の警報器としての火災警報器の外観斜視図である。
【図２】同火災警報器の要部ブロック図である。
【図３】実施の形態における制御プログラムの要部フローチャートである。
【符号の説明】
【００３８】
３    押しボタン（操作手段）
６    引き紐（操作手段）
１０  火災警報器（警報器）
１１  ＣＰＵ（警報制御手段）
１２  煙センサ（火災センサ）
１３  ＣＯセンサ（ガスセンサ）
１４  点検スイッチ（操作手段）
１６  音声出力回路（警報制御手段）
１８  故障検出回路（故障検出手段）
【図１】
0005049068.tif 000005
【図２】
0005049068.tif 000006
【図３】
0005049068.tif 000007